【手続補正書】
【提出日】平成21年1月19日(2009.1.19)
【手続補正１】
【補正対象書類名】特許請求の範囲
【補正対象項目名】全文
【補正方法】変更
【補正の内容】
【特許請求の範囲】
【請求項１】
複数の記憶領域を有する記憶手段を備え、前記複数の記憶領域のそれぞれに対するアクセスを制御するためのアクセス制御情報に従って、各記憶領域へのアクセスを制御するデータ蓄積装置がネットワークを介して複数接続されたデータ蓄積システムであって、
一のデータ蓄積装置の記憶手段の複数の記憶領域のうちの１つに格納されたあるユーザのデータを他のデータ蓄積装置の記憶手段の複数の記憶領域のうちの１つに移動する指示に従って、前記一のデータ蓄積装置から前記他のデータ蓄積装置にデータを転送するデータ転送手段と、
前記データ転送手段がデータを転送する際に、前記他のデータ蓄積装置の記憶手段内の複数の記憶領域のうちの１つに対して前記ユーザがアクセスするためのアクセス制御情報を設定する設定手段と、
を有することを特徴とするデータ蓄積システム。
【請求項２】
前記データ転送手段がデータを転送する際に、前記一のデータ蓄積装置の記憶手段内の複数の記憶領域のうちの１つに対する前記ユーザによるアクセスを制限するために、前記一のデータ蓄積装置の記憶手段内の記憶領域に関するアクセス制御情報を変更する変更手段を更に備えることを特徴とする請求項１に記載のデータ蓄積システム。
【請求項３】
前記データ転送手段がデータ転送を実行するタイミングで、前記ユーザに対応するメールアドレスにメール通知を行うメール通知手段を有することを特徴とする請求項１又は２に記載のデータ蓄積システム。
【請求項４】
前記データ転送手段がデータ転送を実行する日時を設定するデータ転送日時設定手段を有し、
前記データ転送手段は、前記データ転送日時設定手段により設定された日時にデータを転送することを特徴とする請求項１乃至３のいずれか１項に記載のデータ蓄積システム。
【請求項５】
前記変更手段は、前記一のデータ蓄積装置の記憶手段内の複数の記憶領域のうちの１つに対する前記ユーザのアクセス権を前記一のデータ蓄積装置に記憶されているアクセス制御情報から削除し、前記設定手段は、前記他のデータ蓄積装置の記憶手段内の複数の記憶領域のうちの１つに対する前記ユーザのアクセス権を前記他のデータ蓄積装置に記憶されているアクセス制御情報に追加することを特徴とする請求項２に記載のデータ蓄積システム。
【請求項６】
前記設定手段は、前記ネットワークを介して前記各データ蓄積装置と通信可能な情報処理装置が有し、
前記データ転送手段は、前記一のデータ蓄積装置が有することを特徴とする請求項１乃至５のいずれか１項に記載のデータ蓄積システム。
【請求項７】
複数の記憶領域を有する記憶手段を備え、前記複数の記憶領域のそれぞれに対するアクセスを制御するためのアクセス制御情報に従って、各記憶領域へのアクセスを制御する複数のデータ蓄積装置と通信可能な情報処理装置であって、
一のデータ蓄積装置の記憶手段の複数の記憶領域のうちの１つに格納されたあるユーザのデータを他のデータ蓄積装置の記憶手段の複数の記憶領域のうちの１つに移動する指示に従って、前記一のデータ蓄積装置から前記他のデータ蓄積装置にデータを転送させるデータ転送手段と、
前記データ転送手段がデータを転送させる際に、前記他のデータ蓄積装置の記憶手段内の複数の記憶領域のうちの１つに対して前記ユーザがアクセスするためのアクセス制御情報を設定する設定手段と、
を有することを特徴とする情報処理装置。
【請求項８】
前記データ転送手段がデータを転送させる際に、前記一のデータ蓄積装置の記憶手段内の複数の記憶領域のうちの１つに対する前記ユーザによるアクセスを制限するために前記一のデータ蓄積装置の記憶手段内の記憶領域に関するアクセス制御情報を変更する変更手段を更に備えることを特徴とする請求項７に記載の情報処理装置。
【請求項９】
前記データ転送手段は、前記一のデータ蓄積装置からデータを取得し、該取得したデータを前記他のデータ蓄積装置に転送することを特徴とする請求項７又は８に記載の情報処理装置。
【請求項１０】
前記データ転送手段は、前記一のデータ蓄積装置から前記他のデータ蓄積装置へのデータ転送を前記一のデータ蓄積装置に指示することによりデータを転送させることを特徴とする請求項７又は８に記載の情報処理装置。
【請求項１１】
複数の記憶領域を有する記憶手段を備え、前記複数の記憶領域のそれぞれに対するアクセスを制御するためのアクセス制御情報に従って、各記憶領域へのアクセスを制御するデータ蓄積装置がネットワークを介して複数接続されたデータ蓄積システムにおけるデータ移動方法であって、
一のデータ蓄積装置の記憶手段の複数の記憶領域のうちの１つに格納されたあるユーザのデータを他のデータ蓄積装置の記憶手段の複数の記憶領域のうちの１つに移動する指示に従って、前記一のデータ蓄積装置から前記他のデータ蓄積装置にデータを転送するデータ転送ステップと、
前記データ転送ステップでデータを転送する際に、前記他のデータ蓄積装置の記憶手段内の複数の記憶領域のうちの１つに対して前記ユーザがアクセスするためのアクセス制御情報を設定する設定ステップと、
を有することを特徴とするデータ移動方法。
【請求項１２】
請求項１１に記載されたデータ移動方法をコンピュータに実行させるためのプログラム。
【請求項１３】
請求項１１に記載されたデータ移動方法をコンピュータに実行させるためのプログラムをコンピュータが読み取り可能に記憶した記憶媒体。
【手続補正２】
【補正対象書類名】明細書
【補正対象項目名】発明の名称
【補正方法】変更
【補正の内容】
【発明の名称】データ蓄積システムおよび情報処理装置およびデータ移動方法およびプログラムおよび記憶媒体
【手続補正３】
【補正対象書類名】明細書
【補正対象項目名】００２１
【補正方法】変更
【補正の内容】
【００２１】
本発明は、複数の記憶領域を有する記憶手段を備え、前記複数の記憶領域のそれぞれに対するアクセスを制御するためのアクセス制御情報に従って、各記憶領域へのアクセスを制御するデータ蓄積装置がネットワークを介して複数接続されたデータ蓄積システムであって、一のデータ蓄積装置の記憶手段の複数の記憶領域のうちの１つに格納されたあるユーザのデータを他のデータ蓄積装置の記憶手段の複数の記憶領域のうちの１つに移動する指示に従って、前記一のデータ蓄積装置から前記他のデータ蓄積装置にデータを転送するデータ転送手段と、前記データ転送手段がデータを転送する際に、前記他のデータ蓄積装置の記憶手段内の複数の記憶領域のうちの１つに対して前記ユーザがアクセスするためのアクセス制御情報を設定する設定手段と、を有することを特徴とする。
【手続補正４】
【補正対象書類名】明細書
【補正対象項目名】００２２
【補正方法】変更
【補正の内容】
【００２２】
また、本発明は、複数の記憶領域を有する記憶手段を備え、前記複数の記憶領域のそれぞれに対するアクセスを制御するためのアクセス制御情報に従って、各記憶領域へのアクセスを制御する複数のデータ蓄積装置と通信可能な情報処理装置であって、一のデータ蓄積装置の記憶手段の複数の記憶領域のうちの１つに格納されたあるユーザのデータを他のデータ蓄積装置の記憶手段の複数の記憶領域のうちの１つに移動する指示に従って、前記一のデータ蓄積装置から前記他のデータ蓄積装置にデータを転送させるデータ転送手段と、前記データ転送手段がデータを転送させる際に、前記他のデータ蓄積装置の記憶手段内の複数の記憶領域のうちの１つに対して前記ユーザがアクセスするためのアクセス制御情報を設定する設定手段と、を有することを特徴とする。
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】